(57)【要約】【課題】被制御部のモードの増加にともない、携帯装置が車載機器に送信する操作信号の数が増えることを抑制すること。【解決手段】本発明は、携帯装置１０を着脱可能で、被制御部１３４、１３５を制御可能な制御部１４０を備えた電子装置１００及び電子システムであって、制御部１４０は、携帯装置１０から操作信号が入力された場合、被制御部１３４、１３５に対する現在のモードを認識し、前記モードと操作信号とに基づいて制御内容を選択して、選択された制御内容に基づいて現在制御している被制御部を制御する電子装置及び電子システムである。【選択図】図９
2008298651.tif 000002
【特許請求の範囲】
【請求項１】
携帯装置を着脱可能で、被制御部を制御可能な制御部を備えた電子装置であって、
前記制御部は、前記携帯装置から操作信号が入力された場合、前記被制御部に対する現在のモードを認識し、前記モードと前記操作信号とに基づいて制御内容を選択して、選択された制御内容に基づいて前記現在制御している被制御部を制御することを特徴とする電子装置。
【請求項２】
前記制御部は、前記操作信号が入力されている間の時間を検出し、検出された前記時間に応じて前記被制御部を制御する制御内容を選択することを特徴とする請求項１記載の電子装置。
【請求項３】
前記携帯装置は、地図情報を表示する携帯ナビゲーション装置であることを特徴とする請求項１または２記載の電子装置。
【請求項４】
前記被制御部は、ラジオ放送を受信するラジオ受信部であり、
前記制御部は、前記選択された制御内容に基づいて、前記ラジオ受信部を制御するラジオ情報を記憶又は選択することを特徴とする請求項１乃至３のいずれか記載の電子装置。
【請求項５】
前記制御部は、前記操作信号が入力されている間の時間を検出し、検出された前記時間が所定時間以上であれば前記ラジオ情報の記憶を行い、検出された前記時間が所定時間以下であれば前記ラジオ情報の選択を行うことを特徴とする請求項４記載の電子装置。
【請求項６】
操作部を有する携帯装置と、複数の被制御部を制御可能な制御部を備えた電子装置とから構成される電子システムにおいて、
前記制御部は、前記携帯装置から操作信号が入力された場合、前記被制御部に対する現在のモードを認識し、前記モードと前記操作信号とに基づいて制御内容を選択して、選択された制御内容に基づいて前記現在制御している被制御部を制御することを特徴とする電子システム。
【請求項７】
前記操作部は、タッチパネルから構成されることを特徴とする請求項６記載の電子システム。
【請求項８】
前記携帯装置は、地図情報を表示する携帯ナビゲーション装置であることを特徴とする請求項６または７記載の電子システム。
【請求項９】
前記被制御部は、ラジオ放送を受信するラジオ受信部であり、
前記制御部は、前記選択された制御内容に基づいて、前記ラジオ受信部を制御するラジオ情報を記憶又は選択することを特徴とする請求項６乃至８のいずれか記載の電子システム。
【請求項１０】
前記制御部は、前記操作信号が入力されている間の時間を検出し、検出された前記時間が所定時間以上であれば前記ラジオ情報の記憶を行い、検出された前記時間が所定時間以下であれば前記ラジオ情報の選択を行うことを特徴とする請求項９記載の電子システム。
【発明の詳細な説明】
【技術分野】
【０００１】
本発明は、電子装置及び電子システムに関し、特に携帯装置を装着可能な電子装置及び電子システムに関する。
【背景技術】
【０００２】
従来のナビゲーション装置として、パーソナルナビゲーションデバイスと呼ばれる、簡易的ではあるが可搬性を持った小型のポータブルナビゲーション装置（以下、ポータブルナビと呼ぶ）と、車両のダッシュボードに形成された凹部（ＤＩＮ開放）内に収容し固定される車載用のナビゲーション装置とが広く一般的に知られている。車載用のナビゲーション装置は、車両からの車速等の情報により高精度な案内が可能であり、さらにはオーディオ装置を備えたものも提案されている。
【０００３】
近年、ポータブルナビの可搬性と、車載用ナビゲーション装置の高精度な案内性能とを兼ね備えたナビゲーション装置が検討されている。
【０００４】
特許文献１及び特許文献２には、車載機器からＣＤユニットを着脱可能とする構成が開示されている。特許文献３及び特許文献４には、車両に搭載された車載機器からナビゲーション部を着脱可能とする構成が開示されている。車載機器からナビゲーション部を取り外すことで、ナビゲーション部をポータブルナビとして単体で使用することが可能となる。また、特許文献５は、ナビゲーション装置を車両から取り外して、歩行時にもナビゲーション装置を使用することが可能となっている。また、車両搭載時には、カーナビモードとなり、車両から取り外した時にはマンナビモードを実行することが開示されている。
【０００５】
【特許文献１】特開平８−３１８７９２号公報
【特許文献２】特開２００２−３２８０２６号公報
【特許文献３】特表２００５−５２４５７０号公報
【特許文献４】特開２００１−２３９８９５号公報
【特許文献５】特開２００３−１６６８４８号公報
【発明の開示】
【発明が解決しようとする課題】
【０００６】
タッチパネルを有する携帯装置（例えばポータブルナビ）が車両に搭載される車載機器に装着されている際に、タッチパネルを操作することで車載機器に設けられたラジオ受信部等の被制御部を制御することができる。この場合、携帯機器はタッチパネルに対する操作に応じた操作信号を送信する。
【０００７】
例えば、携帯機器の表示画面にラジオ操作画面が表示されており、このラジオ操作画面にラジオの周波数が表示されている場合に、携帯装置の表示画面に表示されるラジオの周波数をタッチパネルに表示されたボタン１に登録（プリセット）する場合は、使用者はボタン１を長押しすることでボタン１に対応させてラジオの周波数を登録させることができる。この際、携帯装置は、ラジオの操作画面におけるボタン１を示す通信コマンドに長押しがされた情報を含ませた操作信号を車載機器の制御部に送信することとなる。
【０００８】
また、例えば、タッチパネルに表示されたボタン３に登録されているラジオの周波数を読み出す場合、使用者はボタン３を短押しすることでボタン３に対応して登録されたラジオの周波数を読み出すことができる。この際、携帯装置は、ラジオの操作画面におけるボタン３を示す通信コマンドに短押しがされた情報を含ませた操作信号を車載機器の制御部に送信することとなる。
【０００９】
さらに、車載機器に設けられたラジオ受信部だけではなく、ＣＤ操作部、ＤＶＤ操作部等の複数の被制御部を制御できるように携帯装置が構成される場合、被制御部の数に応じて携帯装置のタッチパネルに表示される操作ボタンに対応した操作信号の数を増やす必要がある。
【００１０】
このように、携帯装置が車載機器に設けられた被制御部を制御する場合は、携帯装置が、例えばラジオ操作のプリセット、周波数選択等のコマンドに応じた通信コマンドを複数有する構成となる。よって、被制御部の数が増え、被制御部のモードが増加すると、携帯装置から車載機器に送信する操作信号の数が増えるという課題がある。
【００１１】
本発明は、上記課題に鑑みなされたものであり、被制御部のモードの増加にともない、携帯装置が車載機器に送信する操作信号の数が増えることを抑制することを目的とする。
【課題を解決するための手段】
【００１２】
本発明は、携帯装置を着脱可能で、被制御部を制御可能な制御部を備えた電子装置であって、前記制御部は、前記携帯装置から操作信号が入力された場合、前記被制御部に対する現在のモードを認識し、前記モードと前記操作信号とに基づいて制御内容を選択して、選択された制御内容に基づいて前記現在制御している被制御部を制御することを特徴とする電子装置である。本発明によれば、被制御部のモードが増加した場合も、携帯装置が送信する操作信号の数が増加しない。よって、容易な構成の携帯装置を提供できる。
【００１３】
上記構成において、前記制御部は、前記操作信号が入力されている間の時間を検出し、検出された前記時間に応じて前記被制御部を制御する制御内容を選択する構成とすることができる。この構成によれば、携帯装置が送信する操作信号のコマンドの数を削減することができる。
【００１４】
上記構成において、前記携帯装置は、地図情報を表示する携帯ナビゲーション装置である構成とすることができる。
【００１５】
上記構成において、前記被制御部は、ラジオ放送を受信するラジオ受信部であり、前記制御部は、前記選択された制御内容に基づいて、前記ラジオ受信部を制御するラジオ情報を記憶又は選択する構成とすることができる。
【００１６】
上記構成において、前記制御部は、前記操作信号が入力されている間の時間を検出し、検出された前記時間が所定時間以上であれば前記ラジオ情報の記憶を行い、検出された前記時間が所定時間以下であれば前記ラジオ情報の選択を行う構成とすることができる。
【００１７】
本発明は、操作部を有する携帯装置と、制御部を制御可能な制御部を備えた電子装置とから構成される電子システムにおいて、前記制御部は、前記携帯装置から操作信号が入力された場合、前記被制御部に対する現在のモードを認識し、前記モードと前記操作信号とに基づいて制御内容を選択して、選択された制御内容に基づいて前記現在制御している被制御部を制御することを特徴とすることを特徴とする電子システムである。本発明によれば、被制御部のモードが増加した場合も、携帯装置が送信する操作信号の数が増加しない。よって、容易な構成の携帯装置を提供できる。
【００１８】
上記構成において、前記操作部は、タッチパネルから構成される構成とすることができる。
【００１９】
上記構成において、前記携帯装置は、地図情報を表示する携帯ナビゲーション装置である構成とすることができる。
【００２０】
上記構成において、前記被制御部は、ラジオ放送を受信するラジオ受信部であり、前記制御部は、前記選択された制御内容に基づいて、前記ラジオ受信部を制御するラジオ情報を記憶又は選択する構成とすることができる。
【００２１】
上記構成において、前記制御部は、前記操作信号が入力されている間の時間を検出し、検出された前記時間が所定時間以上であれば前記ラジオ情報の記憶を行い、検出された前記時間が所定時間以下であれば前記ラジオ情報の選択を行う構成とすることができる。
【発明の効果】
【００２２】
本発明によれば、被制御部のモードが増加した場合も、携帯装置が送信する操作信号のコマンドの数が増加しない。よって、容易な構成の携帯装置を提供できる。
【発明を実施するための最良の形態】
【００２３】
以下に、図面を用い実施例について説明する。
【実施例１】
【００２４】
図１（Ａ）、（Ｂ）に電子装置の一例である車載システム１（ポータブル機器１０と車載機器１００とからなる電子システム）の外観を示す。図１（Ａ）、（Ｂ）に示すように車載システム１は、車両に搭載される車載機器１００（電子装置）と、ナビゲーション機能を備えた携帯ナビゲーション装置としてのポータブル機器１０（表示携帯装置）とから構成される。ポータブル機器１０は、図１（Ａ）に示すように車載機器１００の前面部１２０に取り付けて使用したり、図１（Ｂ）に示すように車載機器１００から取り外して使用することができる。このように、ポータブル機器１０は車載機器１００から着脱自在であり、車載機器１００にはポータブル機器１０を装着可能である。
【００２５】
車載機器１００は、ラジオ放送の再生機能や、ＣＤ（Ｃｏｍｐａｃｔ  Ｄｉｓｃ）等の記録媒体に書き込まれた音楽データを再生可能な機器であり、ＣＤ再生部やＣＤ挿排口を有する車載機器本体部１１０（本体部）と、表示部１３１や操作部１３２を有する前面部１２０とを備えている。ポータブル機器１０は、目的地までの誘導経路を検索し、地図上に検索した誘導経路を重ねて表示するナビゲーションの機能を備えている。
【００２６】
図２は、ポータブル機器１０を車載機器１００（前面部１２０）から取り外した状態を示す。車載機器１００の前面部１２０には、ポータブル機器１０を装着するための凹部が形成された着脱部１７０が設けられている。着脱部１７０の上面は開放されている。この着脱部１７０には、車載機器１００とポータブル機器１０とを電気的に接続するためのコネクタ１５０と、ポータブル機器１０を前面部１２０に固定するためのロック機構（不図示）が設けられている。前面部１２０に設けた取り外しボタン１６０を操作すると、不図示のロック機構が解除され、車載機器１００からポータブル機器１０が取り外し可能となる。
【００２７】
図３には、前面部１２０を車載機器本体部１１０に対して傾斜させ、ＣＤ挿排口１８０を露出させた状態を示す。不図示の駆動機構によって図３に示すスライダー１８１を駆動させることで、前面部１２０を車載機器本体部１１０に対してチルト（変位）させることができる。チルト動作によって、車載機器本体部１１０に設けられたＣＤ挿排口１８０を露出させ、ＣＤの挿排を行うことができる。車載機器の前面部１２０には、操作ボタン（図６に示すチルト／イジェクトボタン１３２ａ）が設けられており、このボタンの操作に応じたチルト角度に設定することができる。
【００２８】
図４は、車載システム１の車両への搭載例を示す。車載システム１は、例えば図４に示すように、運転席５２と助手席５１とのほぼ中央のダッシュボード部分に配置される。なお、図示していないが、後述するＧＰＳ情報受信部１３３のＧＰＳアンテナは、ダッシュボード上に配置、またはフロントガラスの車室内側に貼り付けられている。
【００２９】
図５は、車載システム１の概略構成を示すブロック図である。車載機器１００とポータブル機器１０とは、コネクタで電気的に接続される。車載機器１００側には、コネクタ１５０が設けられており、ポータブル機器１０には、コネクタ３０が設けられている。これらのコネクタ１５０、３０を接続することで、車載機器１００とポータブル機器１０との間で各種信号が送受信されて車載システム１として機能する。また、コネクタ１５０、３０には、車両のバッテリからの電力をポータブル機器１０に供給するための電力供給端子が設けられており、ポータブル機器１０が車載機器１００に接続された状態で、車載機器１００に電力が供給されていると、電力供給端子を介してポータブル機器１０にも電力が供給される。
【００３０】
車載機器１００は、表示部１３１、操作部１３２、ＧＰＳ情報受信部１３３、オーディオ機器としてのラジオ受信部１３４（被制御部に相当）、ＣＤ再生部１３５（被制御部に相当）、音声調整部１３６、メモリ１３７、マイク１３８、外部音声／映像入力部１３９、制御部１４０、コネクタ１５０を備えている。車載機器１００は、エンジンキーがＡｃｃ又はＯＮの位置にあるときに、車両側のバッテリから電力を供給されて動作する。
【００３１】
以下、各部の機能の詳細について説明する。表示部１３１は、液晶パネルやバックライトを備え、１３セグメント表示によって受信放送周波数、再生楽曲トラックＮｏ、再生楽曲名等を表示する。操作部１３２は、車載機器１００の動作モードを切り替えるための操作や、切り替えた各種モードでの操作を行うためのものである。操作部１３２には、図６に示すようにチルト／イジェクトボタン１３２ａ、ファンクション（以下、ＦＵＮＣと表記する）／ＡＦボタン１３２ｂ、ＴＥＸＴボタン１３２ｃ、ＳＣＲＥＥＮボタン１３２ｄ、ＳＯＵＲＣＥ／ＰＷＲボタン１３２ｅ、ＭＯＤＥボタン１３２ｆ、ＭＵＴＥボタン１３２ｇ、ＢＡＮＤ切換ボタン１３２ｈ、ロータリーボタン１３２ｉ、十字キー／エンターキーボタン１３２ｊとからなるボタン群を備える。
【００３２】
ここで、ボタン群の操作による制御について説明する。まず、ＳＯＵＲＣＥ／ＰＷＲボタン１３２ｅの操作によるポータブル機器１０と車載機器１００の表示の切り替えについて説明する。車載機器１００のＳＯＵＲＣＥ／ＰＷＲボタン１３２ｅを押下することで、車載機器１００がオンされる。また車載機器１００がオンしているときに、ＳＯＵＲＣＥ／ＰＷＲボタン１３２ｅを短押しすることでＣＤ再生やラジオ等のソースの移行が行われる。このとき、車載機器１００の表示部１３１には、選択されたソースにおける情報が表示され、ポータブル機器１０の表示部１１には、ソースに関係なくナビゲーション画像が表示される。次に、ＳＣＲＥＥＮボタン１３２ｄを押下すると、ポータブル機器１０の表示部１１の表示をナビゲーション画像から車載機器１００で選択されたソースに対応する画像に切替えることができる。
【００３３】
図７（Ａ）は車載機器１００でＣＤを再生中にポータブル機器１０を装着し、ポータブル機器１０でナビゲーション画像を表示している状態を示している。図７（Ａ）の状態から、ＳＯＵＲＣＥ／ＰＷＲボタン１３２ｅを押下して、ＣＤ再生からラジオのソースに切換操作を行うと、図７（Ｂ）に示すように、表示部１３１にラジオソースにおける情報が表示される。また、ポータブル機器１０の表示部１１には、ナビゲーション画像が表示されたままである。次に、ユーザがＳＣＲＥＥＮボタン１３２ｄを押下すると、図７（Ｃ）に示すようにポータブル機器１０の表示部１１に、車載機器１００で処理中のソースに対応する画面が表示される（図７（Ｃ）ではラジオ画像）。ポータブル機器１０の表示部１１には、後述するタッチパネルが設けられており、ユーザはタッチパネルを介して表示部１１に表示される操作ボタンを選択することで、現在処理中のソースに対する操作をすることができる。
【００３４】
また、表示部１１にラジオ画像が表示された状態で、ＳＣＲＥＥＮボタン１３２ｄを押下すると、図７（Ｄ）に示すようにラジオ画像からナビゲーション画像に戻ることができる。ポータブル機器１０が車載機器１００から取り外されている状態では、ＳＣＲＥＥＮボタン１３２ｄの操作は無効となる。また、ポータブル機器１０が車載機器１００から取り外されている状態で、外部音声／映像入力部１３９にＵＳＢ（Ｕｎｉｖｅｒｓａｌ  Ｓｅｒｉａｌ  Ｂｕｓ）等が接続された場合には、ＳＯＵＲＣＥ／ＰＷＲボタン１３２ｅを押下しても、ＵＳＢのソースには切り替わらないようにすることもできる。
【００３５】
次に、チルト／イジェクトボタン１３２ａの操作による前面部１２０のチルト動作について説明する。チルト／イジェクトボタン１３２ａが第１の態様（例えば、短押し）で操作されると、前面部１２０は、ＣＤ挿排口１８０が露出する角度（例えば、６０°）まで、前面部１２０がチルトされ、第２の態様（例えば、長押し）で操作されると、所定角度（例えば、５°）ずつ前面部１２０がチルトする。
【００３６】
図５に戻って、ＧＰＳ情報受信部１３３は、ＧＰＳアンテナとチューナ部とを有し、衛星からのＧＰＳ信号を受信する。ＧＰＳ情報受信部１３３で受信したＧＰＳ信号は、制御部１４０、コネクタ１５０、コネクタ３０及び制御部２０を介してポータブル機器１０のナビゲーション部１９に出力され、ＧＰＳ信号に基づいてポータブル機器１０が収納された車載機器１００が搭載される車両の位置が割り出される。なお、ＧＰＳ情報受信部１３３で受信したＧＰＳ信号を制御部１４０を介さずに、制御部２０を介してポータブル機器１０のナビゲーション部１９に出力するようにしてもよい。また、ＧＰＳ情報受信部１３３をＧＰＳアンテナのみで構成し、ＧＰＳアンテナで受信したＧＰＳ信号を、制御部１４０、制御部２０を介さず、後述するＧＰＳ情報受信部１３のチューナに出力するようにしてもよい。さらに、制御部２０は介するが、制御部１４０を介さずＧＰＳ情報受信部１３のチューナに出力するようにしてもよい。このように、適宜変更可能である。
【００３７】
ラジオ受信部１３４は、アンテナとチューナ部とを有しており、ＡＭ放送、ＦＭ放送、多重放送等の放送波を受信して、音声信号の出力、多重データの受信、復調を行い、復調信号を制御部１４０に出力する。ＣＤ再生部１３５は、ＣＤに記録されたデータを再生し、再生信号を制御部１４０に出力する。なお、ラジオ受信部１３４から出力される復調信号を制御部１４０を介さずに、後述する音声調整部１３６に出力するようにしてもよい。
【００３８】
音声調整部１３６は、ラジオ受信部１３４で受信、復調された音声信号や、ＣＤ再生部１３５で再生された音声信号に、音量調整や音質調整等の信号処理をしてスピーカ１４５に出力する。メモリ１３７は、データの読み出しと書き込みとが可能なＲＡＭ（Ｒａｎｄｏｍ  Ａｃｃｅｓｓ  Ｍｅｍｏｒｙ）で構成することができ、制御のために必要な情報を一時的に記憶しておく。マイク１３８は、ハンズフリー通話を行うためのものであって、車室内のユーザの音声を取り込む。外部音声／映像入力部１３９は、ＵＳＢメモリや、携帯型オーディオ装置等の外部機器との接続端子を備え、外部機器からの音声信号やデータを入力して制御部１４０に送り、制御部１４０からの制御信号、音声信号やデータ等を接続した外部機器に出力する。
【００３９】
制御部１４０は、操作部１３２の操作に従って、ラジオ受信部１３４、ＣＤ再生部１３５、音声調整部１３６などを制御する。また、制御部１４０は、コネクタ１５０を介してポータブル機器１０に各種信号を出力し、ポータブル機器１０から入力した各種信号に基づいて車載機器１００を制御する。例えば、制御部１４０は、ＧＰＳ情報受信部１３３で受信したＧＰＳ信号や、マイク１３８で入力された音声信号を、コネクタ１５０を介してポータブル機器１０に出力する。なお、マイク１３８で入力された音声信号を、制御部１４０を介さずに、コネクタ１５０を介してポータブル機器１０に出力してもよい。また、制御部１４０は、ポータブル機器１０と接続された携帯電話からの通話音声をコネクタ１５０を介して入力し、音声調整部１３６を介してスピーカ１４５に出力する。さらに、制御部１４０は、ポータブル機器１０の表示部１１に表示される、各種モードのメニュー画像に対する操作信号をポータブル機器１０の制御部２０から取得し、ラジオ受信部１３４やＣＤ再生部１３５の制御を行う。
【００４０】
また、制御部１４０には、車両に搭載されたバッテリからの電源が入力されている。制御部１４０は、ポータブル機器１０が接続されている場合に、バッテリの電源をポータブル機器１０に出力する。また、制御部１４０には、車両から車速パルスとイルミ電源信号が入力される。制御部１４０は、入力した車速パルスをポータブル機器１０の制御部２０に転送する。なお、車速パルスが入力されない構成でもよい。
【００４１】
次に、ポータブル機器１０について説明する。ポータブル機器１０は、表示部１１、操作部１２、ＧＰＳ情報受信部１３、スピーカ１４、蓄電池１５、充電回路１６、無線通信送受信部１７、メモリ１８、ナビゲーション部１９、制御部２０、コネクタ３０を備えている。
【００４２】
以下、各部の機能の詳細について説明する。表示部１１は、液晶パネルとバックライトとを備え、ナビゲーション部１９で生成された地図情報や目的地までの誘導経路情報、また車載機器１００から転送された受信放送周波数、再生楽曲トラックＮｏ、再生楽曲名等を表示することができる。表示部１１、１３１には、液晶パネル以外のフラットパネルディスプレイ、例えば、有機ＥＬディスプレイパネル、プラズマディスプレイパネル、冷陰極フラットパネルディスプレイ等を用いることができる。
【００４３】
操作部１２は、タッチパネルや、ポータブル機器１０の電源をオン、オフするための電源ボタン５５（図８（Ａ）参照）を含む。タッチパネルは、例えば、表示部１１の表示画面の上に配置されるものであり、指や専用のペンによりタッチパネルが接触されると、その接触された位置が検知されて、入力操作の有無が判別できるようになっている。電源ボタン５５については後述する。
【００４４】
ＧＰＳ情報受信部１３は、アンテナとチューナ部とを有しており、衛星からのＧＰＳ信号を受信する。受信したＧＰＳ信号はナビゲーション部１９に出力され、ＧＰＳ信号に基づいて自機位置が割り出される。なお、車載機器１００にもＧＰＳ情報受信部１３３が設けられているが、車載機器１００にポータブル機器１０が取り付けられているときには、ＧＰＳ情報受信部１３３で受信したＧＰＳ信号（及び車速パルス）を用いてポータブル機器１０が収納された車載機器１００が搭載される車両の位置を特定し、ポータブル機器１０単独で使用する場合には、ＧＰＳ情報受信部１３で受信したＧＰＳ信号を用いて自機位置を特定する。
【００４５】
スピーカ１４は、ナビゲーション部１９からの音声情報を出力するためのものであり、ポータブル機器１０が車載機器１００から取り外された状態、つまり単体で使用されるときに、音声情報を出力する。
【００４６】
蓄電池１５は、ポータブル機器１０の各部に電力を供給する。またポータブル機器１０を車載機器１００に装着すると、コネクタ３０の電力供給端子を介して車両のバッテリから電力が供給され、充電回路１６によって蓄電池１５を充電する。また、充電回路１６はＵＳＢスロット（図８（Ａ）参照）を介して接続端末から電力の供給を受けて、蓄電池１５を充電することができる。
【００４７】
無線通信送受信部１７は、携帯電話との間で通話音声の送受信を行ったり、携帯電話を介してナビゲーションに利用する情報を取得する。無線通信送受信部１７には、例えば、２．４ＧＨｚ帯域の無線伝送方式である、Ｂｌｕｅｔｏｏｔｈが用いられる。
【００４８】
メモリ１８は、例えば読み出しと書き込みとが可能なＲＡＭであり、各制御のために読み出された情報を一時的に記憶しておく。
【００４９】
ナビゲーション部１９は、ナビゲーションのために利用される地図情報を記憶した後述するＳＤカードやＵＳＢメモリから取得し、記憶する地図情報記憶部を備え、ＧＰＳ情報受信部１３３、又は１３からのＧＰＳ信号によって現在位置情報を割り出し、ナビゲーション動作のための画像を作成する。作成した地図は、表示部１１で表示させることができる。また、車載機器１００とポータブル機器１０とが接続されている場合には、車両から車速パルスを取得して、ポータブル機器１０が収納された車載機器１００が搭載される車両の位置検出の精度を高めることができる。なお、地図情報はポータブル機器１０内に保持してもよい。
【００５０】
制御部２０は、ポータブル機器１０の各部を制御する。また、制御部２０は、コネクタ３０を介して車載機器１００に各種信号を出力し、車載機器１００から入力した各種信号に基づいてポータブル機器１０を制御する。例えば、制御部２０は、車載機器１００のＧＰＳ情報受信部１３３で受信したＧＰＳ信号、及び車速パルスを車載機器１００の制御部１４０から取得し、ナビゲーション部１９に出力する。また、制御部２０は、車載機器１００のマイク１３８で入力した音声信号を車載機器１００の制御部１４０から取得し、音声信号に応じてナビゲーション部１９を制御する。すなわち、ナビゲーション部１９をハンズフリーで操作することができる。また、無線通信送受信部１７にて接続された携帯電話からの通話音声を、コネクタ３０を介して車載機器側に出力し、車載機器１００のスピーカ１４５から出力させる。また、表示部１１に表示されたメニュー画面やコンテンツ画面に対する操作信号をコネクタ３０を介して車載機器１００の制御部１４０に出力する。制御部１４０は、ポータブル機器１０の制御部２０から送られた操作信号に応じて、ラジオ受信部１３４やＣＤ再生部１３５を制御する。
【００５１】
図８（Ａ）に、ポータブル機器１０の正面図、上面図、下面図、左側面図、右側面図を示し、図８（Ｂ）にポータブル機器１０の背面図を示す。ポータブル機器１０の上面には、ポータブル機器の電源をオン、オフさせる電源ボタン５５が設けられており、下面には、ＳＤ（Ｓｅｃｕｒｅ  Ｄｉｇｉｔａｌ）メモリカードスロット５６、ＵＳＢスロット５７が設けられている。地図情報が記憶されたＳＤカードやＵＳＢメモリをこれらのスロットに差し込むことで、制御部２０はＳＤカードやＵＳＢメモリから地図情報を読み出し、ナビゲーション部１９に地図情報を出力する。
【００５２】
ポータブル機器１０の電源は、ポータブル機器を車載機器１００に装着したときには、車載機器１００からの制御によって電源がオン、オフされる。また、車載機器１００から取り外してポータブル機器１０を単体で使用する場合には、電源ボタン５５のオン、オフ操作に基づいて電源が操作される。
【００５３】
さらに、ポータブル機器１０の背面側には、車載機器１００との電気的な接続をとるためのコネクタ３０と、車載機器１００側に設けたロック機構（不図示）と係合する係合部５８とが設けられている。
【００５４】
以下に、被制御部の制御について説明する。図９は、被制御部であるラジオ受信部１３４及びＣＤ再生部１３５の操作を行う構成を説明する概略図であり、図５から主要なブロックを抜き出して記載したブロック図である。図９を参照に、ポータブル機器１０の操作部１２（例えば表示部１１のタッチパネル）から操作信号が制御部２０（不図示）を介し車載機器１００の制御部１４０に送信される。車載機器１００の制御部１４０は、ラジオ受信部１３４またはＣＤ再生部１３５を制御するためのコマンドをラジオ受信部１３４またはＣＤ再生部１３５に送信する。
【００５５】
次に、制御部１４０の動作について説明する。車載機器１００は、制御部１４０がラジオ受信部１３４を制御してラジオに関する操作を行うためのラジオモード、及び制御部１４０がＣＤ再生部１３５を制御してＣＤに関する操作を行うためのＣＤモード等のモードを有している。図１０は、モードを選択する際の制御部１４０が行うフローチャートである。図１０を参照に、ユーザが、車載機器１００の操作部１３２またはポータブル機器１０の操作部１２を操作し、被制御部としてラジオ操作部１３４とＣＤ再生部１３５とのいずれに対し制御を行うかのモード選択を行う。制御部１４０はモードを選択する指示を受信する（ステップＳ５０）。制御部１４０は、選択されたモードがいずれのモードかを示すモード情報をメモリ1３７または制御部１４０内のメモリ（不図示）に記憶する（ステップＳ５２）。例えば、制御部１４０は、ラジオモードへのモード切り替え操作を受け付けると、ラジオモードであることを示すモード情報を、メモリ１３７または制御部１４０内のメモリに記憶する。
【００５６】
図１０のステップＳ５２のように、モード情報をメモリ１３７または制御部１４０内のメモリに記憶させることにより、車載機器１００はモード管理機能を有することができる。モード管理機能とは、ポータブル機器１０に表示されている操作画面のモードが、ラジオ操作画面かＣＤ操作画面か、を、把握しておく機能である。モードは、被制御部を制御するための表示部１１の操作画面に対応している。実施例１のように、車載機器１００は、被制御部毎に１つのモードを有する場合もあるが、１つの被制御部につき複数のモードを有する場合もある。つまり、１つの被制御部において、複数の操作画面が用いられることもある。
【００５７】
制御部１４０は、選択されたモードでの制御を行う（ステップＳ５４）。例えば、ラジオモードが選択された場合、メモリ１３７に記憶されている前回ラジオモードであったときに選択されていた周波数にチューニングする。制御部１４０は、選択されたモードの画面を表示する（ステップＳ５６）。図１１（Ａ）から図１１（Ｃ）は、ポータブル機器１０の表示部１１に表示されたラジオを制御するための画面（以下、ラジオ操作画面）の例である。例えば、ラジオモードが選択された場合、図１１（Ａ）のように、制御部１４０は、ポータブル機器１０の表示部１１に現在の周波数と操作ボタン２２１から２２６を表示する。ラジオ受信部１３４は、ＦＭのプリチャネル１（８７．９ＭＨｚ）の放送を受信している。
【００５８】
図１２は、操作信号の例を示す図である。ポータブル機器１０の制御部２０は、操作ボタン２２１から２２６のいずれも押下されていない場合、図１２の項目１のように、信号ＳＷ１から６としてローレベルを送信する。操作ボタン２２１から２２５のいずれかのボタンが押下されると、信号ＳＷ１からＳＷ６のうち対応する信号としてハイレベル、他の信号としてローレベルを送信する。図１２の項目２は、操作ボタン２２２が押下された場合の操作信号を示している。制御部２０は、信号ＳＷ１からＳＷ６を例えば１００ｍｓ毎に車載機器１００の制御部１４０に送信する。制御部１４０は、信号ＳＷ１からＳＷ６を受信することで、操作ボタン２２１から２２６のいずれかが押下されているかを１００ｍｓ毎に認識することができる。
【００５９】
図１３（Ａ）及び図１３（Ｂ）は、制御部１４０内又は外に設けられたメモリ１３７（記憶部）内に格納されているデータの例である。図１３（Ａ）から図１３（Ｃ）のように、メモリ１３７には、ＦＭまたはＡＭ等のラジオ受信モードに対応し、登録情報として操作ボタン２２１から２２６のＮｏに対応する周波数が記憶されている。例えば、図１３（Ａ）の状態では、Ｎｏ１に対応し周波数８７．９ＭＨｚ、Ｎｏ２に対応し周波数９０．０ＭＨｚが記憶されている。
【００６０】
図１４は、ラジオモードにおける制御部１４０の動作を示すフローチャートである。図１４を参照に、制御部１４０はモードがラジオモードかＣＤモードかを判断する（ステップＳ１０）。ＣＤモードの場合は後述する。ラジオモードの場合、制御部１４０は、操作信号に基づき、操作ボタン２２１から２２６のいずれかのスイッチがオンかを判断する（ステップＳ１４）。Ｎｏの場合、ステップＳ１４に戻る。操作ボタン２２１から２２６のいずれかのスイッチがオンの場合、すなわち、例えば図１２の項目２のように、操作信号の信号ＳＷ１からＳＷ６のいずれかがハイレベルとなった場合、制御部１４０は、タイマーをスタートする（ステップＳ１６）。例えば、図１１（Ａ）のラジオ操作画面において、操作ボタン２２２が押下される。操作信号として、図１２の項目２のように、信号ＳＷ２がハイレベル、他の信号ＳＷはローレベルとなる。操作信号は、制御部２０が表示部１１に表示された操作ボタン２２１から２２６の押下に対応し制御部１４０に出力する信号であり、ハイレベル、ローレベルの信号以外でもよい。
【００６１】
図１４を参照に、制御部１４０は、操作信号に基づき、操作ボタン２２１から２２６のうちステップＳ１４で押下を検知した操作ボタン（例えば操作ボタン２２２）のスイッチがオフかを判断する（ステップＳ１８）。例えば、図１２の項目１のように、ＳＷ２がローレベルになると、操作ボタン２２２のスイッチがオフしたと判断する。制御部１４０は、タイマーの時間を取得する（ステップＳ２０）。制御部１４０は、取得した時間が所定時間以上か否かを判断する（ステップＳ２２）。ここで、所定時間は、短押しと長押しとを区別する時間であり、例えば１．５ｓである。なお、タイマーは、操作信号の回数をカウントするカウンタでもよい。この場合、所定時間は、長押し時間に対応するカウント回数となる。
【００６２】
ステップＳ２２において、Ｎｏの場合、つまり操作ボタンが押下されている時間が所定時間未満の場合、対応する操作ボタン２２１から２２６は短押しされている。この場合、制御部１４０はラジオ受信部１３４に以下のリード処理を行わせる（ステップＳ２６）。例えば、操作ボタン２２２が短押しされた場合、制御部１４０はラジオ受信部１３４の受信周波数をＮｏ２の周波数に設定する。すなわち、制御部１４０は、図１３（Ａ）におけるメモリ１３７のＮｏ２の周波数９０ＭＨｚを選択し、読み出す。制御部１４０は、ラジオ受信部１３４に周波数を９０．０ＭＨｚとする指示を行うコマンドを送信する。これにより、ラジオ受信部１３４はＮｏ２の周波数にセットされる。制御部１４０は、制御部２０に周波数情報を送信する。よって、図１１（Ｂ）のように、表示部１１には周波数として９０．０ＭＨｚが表示される。以上によりリード処理が完了する。その後、終了する。
【００６３】
ステップＳ２２において、Ｙｅｓの場合、つまり操作ボタンが押下されている時間が所定時間以上の場合、対応する操作ボタン２２１から２２６は長押しされている。この場合、制御部１４０はラジオ受信部１３４に以下のライト処理を行わせる（ステップＳ２４）。すなわち、メモリ１３７の対応するＮｏの周波数として現在の周波数を書き込む。つまり、現在の周波数を対応するＮｏに登録する。例えば、図１１（Ｃ）のように、周波数が８５．０ＭＨｚの放送を受信しているときに操作ボタン２２１が長押しされた場合、制御部１４０は、図１３（Ｂ）のように、Ｎｏ１の周波数を８５．０ＭＨｚに変更する。その後、終了する。
【００６４】
このように、ラジオモードの場合、制御部１４０は、選択された制御内容（例えば、各周波数のライト処理、リード処理）に基づいて、ラジオ受信部１３４を制御するラジオ情報（例えば、周波数）を記憶または選択することができる。このように、制御内容は、制御部１４０が被制御部を制御する具体的な内容である。また、ラジオ情報は、ラジオ放送を受信するための情報であり、周波数や、ＦＭ、ＡＭ等の受信モード等である。
【００６５】
さらに、操作信号が入力されている間の時間を検出し、検出された時間が所定時間以上であればラジオ情報（例えば、周波数）の記憶を行い、検出された前記時間が所定時間以下であればラジオ情報の選択を行うことができる。
【００６６】
次に、制御部１４０のＣＤモードにおける制御を説明する。図１０のステップＳ５０において、制御部１４０はＣＤモード選択の指示を受信する。ステップＳ５２において、制御部１４０はＣＤモードを示すモード情報をメモリ１３７に記憶する。その後、ステップＳ５４において、制御部１４０はＣＤモードの制御を行う。ステップＳ５６において、制御部１４０は、表示部１１にＣＤモードの画面を表示する。図１５は、ポータブル機器１０の表示部１１に表示されたＣＤ再生部１３５を制御するための画面（以下、ＣＤ操作画面）の例である。
【００６７】
図１５に示すように、ラジオ操作画面に表示されていた操作ボタン２２１から２２６は、ＣＤ再生に関する操作を行うための操作ボタン２２１から２２６として表示されている。操作ボタン２２１は、再生されている１曲前の曲頭から再生させる「前曲スキップボタン」として、操作ボタン２２２は、再生中の曲を巻き戻しするための「早戻しボタン」として、操作ボタン２２３は、曲の再生と一時停止を行う「再生／一時停止ボタン」として、操作ボタン２２４は、再生中の曲を停止させる「停止ボタン」として、操作ボタン２２５は、再生中の曲を早送りするための「早送りボタン」として、操作ボタン２２６は、再生中の１曲後の曲頭から再生させる「後曲スキップボタン」として表示される。
【００６８】
図１６は、ＣＤモードにおける制御部１４０の動作を示すフローチャートである。図１４のステップＳ１０において、制御部１４０がＣＤモードと判断した場合、制御部１４０は、操作信号に基づき、操作ボタン２２１から２２６のいずれかがオンかを判断する（ステップＳ３２）。Ｎｏの場合、ステップＳ３２に戻る。操作ボタン２２３以外の操作ボタンがオンの場合、制御部１４０は、操作ボタンに対応する制御を行う（ステップＳ４６）。例えば、操作ボタン２２１が押下された場合、制御部１４０は、ＣＤ再生部１３５に、再生されている１曲前の曲頭から再生させるコマンドを送信する。その後、終了する。
【００６９】
ステップＳ３２において、操作ボタン２２３がオンの場合、制御部１４０はタイマーをスタートさせる（ステップＳ３４）。制御部１４０は、操作ボタン２２３がオフかを判断する（ステップＳ３６）。Ｎｏの場合、ステップＳ３６に戻る。Ｙｅｓの場合、制御部１４０は、タイマーの時間を取得する（ステップＳ３８）。制御部１４０は、取得した時間が所定時間以上かを判断する（ステップＳ４０）。Ｎｏの場合、制御部１４０はＣＤ再生部１３５に再生のコマンドを送信する（ステップＳ４２）。Ｙｅｓの場合、制御部１４０はＣＤ再生部１３５にポーズ（一時停止）のコマンドを送信する（ステップＳ４４）。その後、終了する。
【００７０】
このように、ＣＤモードにおいては、操作ボタン２２１、２２２、２２３〜２２６は、短押しまたは長押しかは関係なく、操作ボタンが押下されると、制御部１４０は対応する制御をＣＤ再生部１３５に対し行う。一方、操作ボタン２２３が押下されると、制御部１４０は、短押しまたは長押しかにより、異なる制御をＣＤ再生部１３５に対し行う。
【００７１】
図９から図１６を用い説明したように、車載機器１００の制御部１４０は、ポータブル機器１０からの操作信号が入力された場合、複数のモード（ラジオモード及びＣＤモード）のうち現在のモード（ラジオモードまたはＣＤモード）と操作信号とに基づいて制御内容（ラジオ受信部１３４の各周波数におけるライト処理、リード処理、またはＣＤ再生部１３５の再生、ポーズ等）を選択して、選択された制御内容に基づいて現在制御している被制御部（ラジオ樹陰部１３４またはＣＤ再生部１３５）にコマンドを送信する。これにより、現在制御している被制御部を制御する。
【００７２】
このような制御により、ポータブル機器１０の制御部２０は、操作画面がラジオ操作画面かＣＤ操作画面かによらず、表示部１１に表示された操作ボタン２２１から２２６に対応する操作信号を車載機器１００に送信すればよい。例えば図１２のように、操作ボタン２２１から２２６の押下に対応しローレベルまたはハイレベルを操作信号とすることができる。車載機器１００の制御部１４０は被制御部に対応したモードと操作信号とに基づき、制御内容を選択することができる。このように、操作信号を被制御部によらず共通に用いることにより、ポータブル機器１０から車載機器１００への操作信号の数を削減することができる。実施例１では、操作信号の数を操作ボタンの数と同じ６個とすることができる。
【００７３】
また、制御部１４０は、図１４のステップＳ２２からＳ２６、図１５のステップＳ４０からＳ４４のように、操作信号が入力されている間の時間を検出し、検出された時間に応じて被制御部を制御する制御内容を選択することができる。これにより、操作信号の数は増やさず、車載機器１００の制御部１４０が非制御部に対して行う制御の種類を増加させることができる。
【００７４】
実施例１では、車載機器１００内の被制御部としてのラジオ受信部１３４とＣＤ再生部１３５とを記載しているが、この他、ＤＶＤを再生するＤＶＤ再生部、ＭＤを再生するＭＤ再生部、ＵＳＢ等の外部インターフェース部を介して接続される再生機器等を再生する外部機器再生部、ＶＩＣＳ情報やシリウス情報等の交通情報を受信して交通情報受信部、デジタル信号を受信するデジタル通信受信部、ＲＤＳ−ＴＭＣ部、ナビゲーションに関する制御を行うナビ制御部を車載機器１００に設けて被制御部としてもよい。
【００７５】
実施例１では、図９に示すように、使用者が車載機器１００の操作部１３２を操作することで操作部１３２から車載機器１００の制御部１４０に送信される信号（以下、車載機器側信号と称す）と、使用者がポータブル機器１０の操作部１２を操作することでポータブル機器１０の制御部２０から車載機器１００の制御部１４０に送信される信号（以下、ポータブル機器側信号と称す）と、は異なる信号である。車載機器１００の制御部１４０には、車載機器側信号を変換する車載機器側変換部３００と、ポータブル機器側信号を変換するポータブル機器側変換部３０１と、が設けられている。これらの車載機器側変換部３００、ポータブル機器側変換部３０１を介すことで車載機器側信号とポータブル機器側信号とが同じ信号に変換されて、車載機器１００の制御部１４０は、前記同じ信号とモード（例えば、ラジオモード、ＣＤモード等）とに応じて、ラジオ受信部１３４やＣＤ再生部１３５等の被制御部にどのような処理を行うか判断して、被制御部を制御する。
【００７６】
これに対して、車載機器側信号とポータブル機器側信号とが同一の信号となるように構成されていてもよく、この場合は、車載機器１００の制御部１４０に車載機器側変換部３００とポータブル機器側変換部３０１とを別途に設ける必要はなく、車載機器側信号とポータブル機器側信号とを制御部１４０が処理できる信号として変換する変換部をひとつ設けるだけで構成することができる。
【００７７】
このような構成によれば、車載機器１００の制御部１４０に変換部をひとつ設けるだけでよいので、車載機器１００の制御部１４０を簡単に構成することができる。また、車載機器１００の操作部１３２とポータブル機器１０の制御部２０とは同一の信号を車載機器側の制御部１４０に送信する構成としていることで、制御部１４０はいずれの信号に対しても同一の処理を行うことができる。したがって、ポータブル機器１０の構成が簡単となる。
【００７８】
実施例１において、携帯装置としてナビゲーション機器であるポータブル機器１０を例に説明したが、携帯装置はナビゲーション機器以外の電子機器でもよい。なお、ナビゲーション機器とは、地図情報上に自車両の位置を表示して、使用者によって、目的地が設定された場合には目的地までの経路案内を行う電子機器である。
【００７９】
図５では、車載機器１００にＣＤ再生部１３５が設けられているが、光ディスク記憶媒体再生部として、ＣＤプレーヤ、ＤＶＤプレーヤ、ブルーレイプレーヤまたはＨＤ−ＤＶＤを設けた構成でもよい、車載機器１００がＤＶＤプレーヤを設けている場合には、ＤＶＤの動画情報をポータブル機器１０に再生する構成としてもよい。
【００８０】
ポータブル機器１０はワンセグＴＶチューナを有し、車載機器１００はフルセグＴＶＣチューナを有してもよい。この場合、ポータブル機器１０装着時には、ワンセグＴＶチューナを使用するか、フルセグＴＶＣチューナを使用するかを選択することができる。あるいは、自動的にフルセグＴＶＣチューナに切り換わる構成でもよい。
【００８１】
また、実施例１の図５の車載機器１００では、ＶＩＣＳ情報等の道路情報を路車間通信により受信する道路情報受信部を省略して記載したが、実際は車載機器１００は、道路情報受信部を有している。
【００８２】
ポータブル機器１０は、地図データ記憶部を有してもよく、地図データ記憶部は、フラッシュメモリ等の不揮発性メモリ、１．８インチ等の小型ハードディスク等で構成されていてもよい。また、これらは、脱着可能なＩＣメモリカード（ＳＤカード、ミニＳＤ、メモリスティックまたはコンパクトフラッシュ等）、カード型のＨＤＤ（マイクロドライブ）で構成されていてもよい。
【００８３】
以上、本発明の好ましい実施例について詳述したが、本発明は係る特定の実施例に限定されるものではなく、特許請求の範囲に記載された本発明の要旨の範囲内において、種々の変形・変更が可能である。
【図面の簡単な説明】
【００８４】
【図１】図１（Ａ）、（Ｂ）は実施例１に用いる車載システムの外観を示す模式図である。
【図２】図２はポータブル機器を車載機器から取り外した状態を示す模式図である。
【図３】図３は前面部を車載機器本体に対して傾斜させ、ＣＤ挿排口を露出させた状態を示す模式図である。
【図４】図４は、車載システムの車両への搭載例を示す模式図である。
【図５】図５は、車載システムを示す概略図である。
【図６】図６は本体部の正面模式図である。
【図７】図７（Ａ）から（Ｄ）は本体部に装着されたポータブル機器の表示を示す模式図である。
【図８】図８（Ａ）は、ポータブル機器の正面模式図、上面模式図、下面模式図、左側面模式図、右側面模式図であり、図８（Ｂ）はポータブル機器の背面模式図である。
【図９】図９は、被制御部であるラジオ受信部１３４及びＣＤ再生部１３５の操作を行う構成を説明する概略図であり、図５から主要なブロックを抜き出して記載したブロック図である
【図１０】図１０は、制御部の動作を示すフローチャート（その１）である。
【図１１】図１１（Ａ）から図１１（Ｃ）は、ラジオ操作画面の例を示す図である。
【図１２】図１２は、操作信号の例を示す図である。
【図１３】図１３（Ａ）及び図１３（Ｂ）は、メモリ内の情報を示す図である。
【図１４】図１４は、車載機器の制御部の動作を示すフローチャート（その２）である。
【図１５】図１５は、ＣＤ操作画面の例を示す図である。
【図１６】図１６は、車載機器の制御部の動作を示すフローチャート（その３）である。
【符号の説明】
【００８５】
１０          ポータブル機器
１１          表示部
２０          制御部
１００        車載機器
１３２        操作部
１３４        ラジオ受信部
１３５        ＣＤ再生部
１３７        メモリ
１４０        制御部
【図１】
2008298651.tif 000003
【図２】
2008298651.tif 000004
【図３】
2008298651.tif 000005
【図４】
2008298651.tif 000006
【図５】
2008298651.tif 000007
【図６】
2008298651.tif 000008
【図７】
2008298651.tif 000009
【図８】
2008298651.tif 000010
【図９】
2008298651.tif 000011
【図１０】
2008298651.tif 000012
【図１１】
2008298651.tif 000013
【図１２】
2008298651.tif 000014
【図１３】
2008298651.tif 000015
【図１４】
2008298651.tif 000016
【図１５】
2008298651.tif 000017
【図１６】
2008298651.tif 000018